(57)【要約】      （修正有）【課題】上り通信において、ユーザ機器通信装置がオフ持続時間に送信時間間隔で基地局によって送信された制御コマンドの受信ミスを防ぐ。【解決手段】第１の送信時間間隔（ＴＴＩ）において下り制御チャネル上でセミパーシステントスケジューリング（ＳＰＳ）ＵＬグラントを受信する。ＳＰＳ＿ＵＬグラントは複数のＵＬ送信のために通信装置に周期的に割り当てられるＵＬ周波数リソースである。ＳＰＳ  ＵＬグラントを設定ＵＬグラントとして記憶し、前記ＴＴＩの後の最も早いＴＴＩで開始するように設定ＵＬグラントを初期化し、最も早いＴＴＩ後の複数のＴＴＩによいて設定ＵＬグラントに従ってＨＡＲＱプロセス基づいた少なくとも１回再送を行い、このＵＬ再送に応答して上りＨＡＲＱラウンドトリップタイム（ＲＴＴ）タイマを開始する。上りＨＡＲＱ  ＲＴＴタイマが満了する時にＨＡＲＱプロセスのための別タイマを開始する。【選択図】図３
2018007252.tif 000002
【特許請求の範囲】
【請求項１】
アップリンク（ＵＬ）送信を扱うための通信装置であって、
命令を記憶するための記憶装置であって、該命令は、
基地局（ＢＳ）からの第１の送信時間間隔（ＴＴＩ）において制御チャネル上でセミパーシステントスケジューリング（ＳＰＳ）ＵＬグラントを受信するステップであって、該ＳＰＳ  ＵＬグラントは、複数のＵＬ送信のために当該通信装置に周期的に割り当てられるＵＬ周波数リソースを示す、ステップと、
前記ＳＰＳ  ＵＬグラントを設定ＵＬグラントとして記憶するステップと、
前記第１のＴＴＩの後の最も早いＴＴＩで開始するように前記設定ＵＬグラントを初期化し、該最も早いＴＴＩ後の複数のＴＴＩに前記設定ＵＬグラントを適用するステップと、
前記設定ＵＬグラントに従ってハイブリッド自動再送要求（ＨＡＲＱ）プロセスを使用することによって、ＵＬ送信の少なくとも１回の第１の繰返しを送信するステップと、
前記ＵＬ送信に応答して前記ＨＡＲＱプロセスのためのＵＬ  ＨＡＲＱ  ラウンドトリップタイム（ＲＴＴ）タイマを開始するステップと、
前記ＵＬ  ＨＡＲＱ  ＲＴＴタイマが満了するときに、前記ＨＡＲＱプロセスのためのdrx-ULRetransmissionTimerを開始するステップとを含む、記憶装置と、
前記記憶装置に結合され、前記記憶装置に記憶された前記命令を実行するように設定されている処理回路と、を含む通信装置。
【請求項２】
前記記憶装置の命令は、
前記drx-ULRetransmissionTimerがＤＲＸサイクルのオフ持続時間に属する少なくとも１つのＴＴＩで動作しているときに、前記制御チャネルを監視するステップをさらに含む、請求項１に記載の通信装置。
【請求項３】
前記通信装置は、前記少なくとも１回の第１の繰り返しの１つに応答して前記ＵＬ  ＨＡＲＱ  ＲＴＴタイマを開始することによって、前記ＵＬ  ＨＡＲＱ  ＲＴＴタイマを開始する、請求項１に記載の通信装置。
【請求項４】
前記記憶装置の命令は、
第２のＴＴＩにおいて前記制御チャネル上で動的スケジューリングＵＬグラントを前記ＢＳから受信するステップであって、該動的スケジューリングＵＬグラントは、前記ＵＬ送信のＵＬ再送信を示す、ステップと、
前記動的スケジューリングＵＬグラントに従って前記ＨＡＲＱプロセスを使用することによって、前記ＵＬ再送信の少なくとも１回の第２の繰返しを送信するステップとをさらに含む、請求項１に記載の通信装置。
【請求項５】
アップリンク（ＵＬ）送信を扱うためのネットワークであって、
命令を記憶するための記憶装置であって、該命令は、
間欠受信（ＤＲＸ）動作を通信装置に設定するステップと、
制御チャネル上でセミパーシステントスケジューリング（ＳＰＳ）ＵＬグラントを前記通信装置に送信するステップであって、該ＳＰＳ  ＵＬグラントは、複数のＵＬ送信のために前記通信装置に周期的に割り当てられたＵＬ周波数リソースを示す、ステップと、
ＵＬ送信の少なくとも１回の繰返しを前記通信装置から受信するステップであって、前記少なくとも１回の繰返しは、前記ＳＰＳ  ＵＬグラントに従ってＨＡＲＱプロセスを使用して前記通信装置によって送信され、ＵＬ  ＨＡＲＱ  ＲＴＴタイマが前記ＵＬ送信に応答して該ＨＡＲＱプロセスのために前記通信装置によって開始される、ステップと、
前記ＵＬ  ＨＡＲＱ  ＲＴＴタイマが満了し、前記ＵＬ送信が正常に受信されないときは、動的スケジューリングＵＬグラントを前記通信装置に送信するステップであって、該動的スケジューリングＵＬグラントは、前記通信装置に前記ＵＬ送信を再送信させることを示す、ステップとを含む、記憶装置と、
前記記憶装置に結合され、前記記憶装置に記憶された前記命令を実行するように構成されている処理回路と、を含むネットワーク。
【請求項６】
前記ＳＰＳ  ＵＬグラントは、前記制御チャネル上のダウンリンク（ＤＬ）制御情報（ＤＣＩ）で送信される、請求項５に記載のネットワーク。
【請求項７】
前記記憶装置の命令は、
前記ＵＬ  ＨＡＲＱ  ＲＴＴタイマが満了する前に、前記動的スケジューリングＵＬグラントを前記通信装置に送信しないステップをさらに含む、請求項５に記載のネットワーク。
【請求項８】
前記記憶装置の命令は、
前記通信装置内で動作するdrx-ULRetransmissionTimerに対応するタイマを維持するステップと、
前記タイマが動作しているときは、前記drx-ULRetransmissionTimerが動作していると判定するステップとをさらに含む、請求項５に記載のネットワーク。
【請求項９】
前記記憶装置の命令は、
送信時間間隔（ＴＴＩ）がdrx-ULRetransmissionTimerの長さ内にあるときは、前記通信装置内で動作する前記drx-ULRetransmissionTimerを判定するステップをさらに含む、請求項５に記載のネットワーク。
【請求項１０】
アップリンク（ＵＬ）送信を扱うための通信装置であって、
命令を記憶するための記憶装置であって、該命令は、
ランダムアクセスプリアンブルを基地局（ＢＳ）に送信するステップと、
前記ランダムアクセスプリアンブルに応答して、ＵＬグラントを含むランダムアクセス応答（ＲＡＲ）を前記基地局から受信するステップであって、該ＵＬグラントは、ＵＬ送信のためのＵＬ周波数リソースを示す、ステップと、
前記ＵＬグラントに従って、ハイブリッド自動再送要求（ＨＡＲＱ）プロセスを使用することによって、前記ＵＬ送信の少なくとも１回の繰返しを送信するステップと、
前記ＵＬ送信に応答して、前記ＨＡＲＱプロセスのためのＵＬ  ＨＡＲＱラウンドトリップ時間（ＲＴＴ）タイマを開始するステップと、
前記ＵＬ  ＨＡＲＱ  ＲＴＴタイマが満了するときに、前記ＨＡＲＱプロセスのためのdrx-ULRetransmissionTimerを開始するステップとを含む、記憶装置と、
前記記憶装置に結合され、前記記憶装置に記憶された前記命令を実行するように構成されている処理回路と、を含む通信装置。
【請求項１１】
前記ＨＡＲＱプロセスは、前記ＵＬ送信のために前記通信装置において予め定められているか、又は前記ＲＡＲ内のＨＡＲＱプロセス番号によって示されている、請求項１０に記載の通信装置。
【請求項１２】
前記記憶装置の命令は、
前記ＨＡＲＱプロセスがＨＡＲＱプロセス識別子０によってアドレス指定されるＨＡＲＱプロセスであることを決定するステップをさらに含む、請求項１０に記載の通信装置。
【請求項１３】
前記記憶装置の命令は、
前記drx-ULRetransmissionTimerがＤＲＸサイクルのオフ持続時間に属する少なくとも１つのＴＴＩで動作しているときに、制御チャネルを監視するステップをさらに含む、請求項１０に記載の通信装置。
【請求項１４】
前記少なくとも１回の繰返しの最初の繰返しは新しい送信であり、前記少なくとも１回の繰返しの残りは少なくとも１回の再送信である、請求項１０に記載の通信装置。
【請求項１５】
前記通信装置は、前記少なくとも１回の繰返しのうちの１つに応答して前記ＵＬ  ＨＡＲＱ  ＲＴＴタイマを開始する、請求項１０に記載の通信装置。
【発明の詳細な説明】
【技術分野】
【０００１】
本発明は、無線通信システムにおいても使用される装置及び方法に関する。より詳細には、アップリンク送信を扱うための装置及び方法に関する。
【背景技術】
【０００２】
ロングタームエボリューション（ＬＴＥ）システムでは、エボルブドユニバーサル地上無線アクセスネットワーク（Ｅ−ＵＴＲＡＮ）として知られる無線アクセスネットワークは、ユーザ機器（ＵＥ）と通信するための、及びコアネットワークと通信するための少なくとも１つのエボルブドノードＢ（ｅＮＢ）を含む。コアネットワークは、ＵＥのためのモビリティマネジメント（mobility  management）及びクオリティオブサービス（ＱｏＳ）制御を含むことができる。
【発明の概要】
【０００３】
このため、本発明は、上述の問題を解決するため、アップリンク送信を扱うための通信装置及び方法を提供する。
【０００４】
アップリンク（ＵＬ）送信を扱うための通信装置であって、通信装置は、命令を記憶するための記憶装置と、記憶装置に結合された処理回路とを含む。処理回路は、記憶装置に記憶された命令を実行するように構成されている。命令は、基地局（ＢＳ）からの第１の送信時間間隔（ＴＴＩ）において制御チャネル上でセミパーシステントスケジューリング（ＳＰＳ）ＵＬグラントを受信するステップであって、ＳＰＳ  ＵＬグラントは、複数のＵＬ送信のために通信装置に周期的に割り当てられるＵＬ周波数リソースを示す、ステップと、ＳＰＳ  ＵＬグラントを設定ＵＬグラントとして記憶するステップと、第１のＴＴＩの後の最も早いＴＴＩで開始するように設定ＵＬグラントを初期化し、最も早いＴＴＩ後の複数のＴＴＩに設定ＵＬグラントを適用するステップと、設定ＵＬグラントに従ってハイブリッド自動再送要求（ＨＡＲＱ）プロセスを使用することによって、ＵＬ送信の少なくとも１回の第１の繰返しを送信するステップと、ＵＬ送信に応答してＨＡＲＱプロセスのためのＵＬ  ＨＡＲＱ  ラウンドトリップタイム（ＲＴＴ）タイマを開始するステップと、ＵＬ  ＨＡＲＱ  ＲＴＴタイマが満了するときに、ＨＡＲＱプロセスのためのdrx-ULRetransmissionTimerを開始するステップとを含む。
【０００５】
アップリンク（ＵＬ）送信を扱うためのネットワークであって、ネットワークは、命令を記憶するための記憶装置と、記憶装置に結合された処理回路とを含む。処理回路は、記憶装置に記憶された命令を実行するように構成されている。命令は、間欠受信（ＤＲＸ）動作を通信装置に設定するステップと、制御チャネル上でセミパーシステントスケジューリング（ＳＰＳ）ＵＬグラントを通信装置に送信するステップであって、ＳＰＳ  ＵＬグラントは、複数のＵＬ送信のために通信装置に周期的に割り当てられたＵＬ周波数リソースを示す、ステップと、ＵＬ送信の少なくとも１回の繰返しを通信装置から受信するステップであって、少なくとも１回の繰返しは、ＳＰＳ  ＵＬグラントに従ってＨＡＲＱプロセスを使用して通信装置によって送信され、ＵＬ  ＨＡＲＱ  ＲＴＴタイマがＵＬ送信に応答してＨＡＲＱプロセスのために通信装置によって開始される、ステップと、ＵＬ  ＨＡＲＱ  ＲＴＴタイマが満了し、ＵＬ送信が正常に受信されないときは、動的スケジューリングＵＬグラントを通信装置に送信するステップであって、動的スケジューリングＵＬグラントは、通信装置にＵＬ送信を再送信させることを示す。
【０００６】
アップリンク（ＵＬ）送信を扱うための通信装置であって、通信装置は、命令を記憶するための記憶装置と、記憶装置に結合された処理回路とを含む。処理回路は、記憶装置に記憶された命令を実行するように構成されている。命令は、ランダムアクセスプリアンブルを基地局（ＢＳ）に送信するステップと、ランダムアクセスプリアンブルに応答して、ＵＬグラントを含むランダムアクセス応答（ＲＡＲ）を基地局から受信するステップであって、ＵＬグラントは、ＵＬ送信のためのＵＬ周波数リソースを示す、ステップと、ＵＬグラントに従って、ハイブリッド自動再送要求（ＨＡＲＱ）プロセスを使用することによって、ＵＬ送信の少なくとも１回の繰返しを送信するステップと、ＵＬ送信に応答して、ＨＡＲＱプロセスのためのＵＬ  ＨＡＲＱラウンドトリップ時間（ＲＴＴ）タイマを開始するステップと、ＵＬ  ＨＡＲＱ  ＲＴＴタイマが満了するときに、ＨＡＲＱプロセスのためのdrx-ULRetransmissionTimerを開始するステップとを含む。
【０００７】
本発明のこれらの目的及び他の目的は、様々な図表及び図面に図示される、次の発明の実施するための好ましい形態を読むことにより、当業者には疑いなく明らかとなるだろう。
【図面の簡単な説明】
【０００８】
【図１】図１は、本発明の一例による無線通信システムの概略図である。
【図２】図２は、本発明の一例による通信装置の概略図である。
【図３】図３は、本発明の一例によるプロセスのフローチャートである。
【図４】図４は、本発明の一例によるプロセスのフローチャートである。
【図５】図５は、本発明の一例によるプロセスのフローチャートである。
【図６】図６は、本発明の一例によるプロセスのフローチャートである。
【発明を実施するための形態】
【０００９】
図１は、本発明の一例による無線通信システム１０の概略図である。無線通信システム１０は、概して、ネットワークと複数の通信装置とから設定されている。ネットワーク及び通信装置は、ライセンスされた及び／又はライセンスされていないバンドの１つ以上のキャリアで１つ以上のセルを介して、互いに通信することができる。１つ以上のセルは、同じ若しくは異なるフレーム構造タイプで、又は同じ若しくは異なる複信モード（すなわち、周波数分割複信（ＦＤＤ）、時分割複信（ＴＤＤ））で、動作されることができる。
【００１０】
図１において、ネットワーク及び通信装置は、無線通信システム１０の構造を示すのに簡潔に利用される。ネットワークは、少なくとも１つの基地局（ＢＳ）を含む無線アクセスネットワーク（ＲＡＮ）を含むことができる。実際には、ＲＡＮは、少なくとも１つのエボルブドノードＢ（ｅＮＢ）を含むエボルブドユニバーサル地上無線アクセスネットワーク（Ｅ−ＵＴＲＡＮ）とすることができる。ＲＡＮは、直交周波数分割多重（ＯＦＤＭ）及び／又は非ＯＦＤＭと、１ｍｓより短い送信時間間隔（ＴＴＩ）（例えば、１００又は２００マイクロ秒）とを採用して、通信装置と通信する少なくとも１つの５Ｇ  ＢＳ（例えば、ｇＮＢ）を含む第５世代（５Ｇ）ネットワークとすることができる。一般に、ＢＳは、ｅＮＢ及び５Ｇ  ＢＳのうちのいずれかを示すために使用されることもできる。さらに、ネットワークは、ＲＡＮに接続するネットワークエンティティを含むコアネットワークを含むこともできる。
【００１１】
通信装置は、ユーザ機器（ＵＥ）、マシンタイプコミュニケーション（ＭＴＣ：Machine  Type  Communication）デバイス、携帯電話、ラップトップ、タブレットコンピュータ、電子書籍、ポータブルコンピュータシステム、車両、又は航空機とすることができる。さらに、ネットワーク及び通信装置は、方向（すなわち、送信方向）に従って、送信機又は受信機と見なされることができる。例えば、アップリンク（ＵＬ）の場合、通信装置が送信機でネットワークが受信機であり、ダウンリンク（ＤＬ）の場合、ネットワークが送信機であり通信装置が受信機である。
【００１２】
図２は、本発明の例による通信装置２０の概略図である。通信装置２０は、図１に示す通信装置又はネットワークとすることができるが、これに限定されない。通信装置２０は、マイクロプロセッサ、特定用途向け集積回路（ＡＳＩＣ）等の処理回路２００、記憶装置２１０及び通信インタフェース装置２２０を含むことができる。記憶装置２１０は、処理回路２００によりアクセスされ、実行されるプログラムコード２１４を記憶することができる任意のデータ記憶装置とすることができる。記憶装置２１０の例は、非限定的に、加入者識別モジュール（ＳＩＭ）、読み出し専用メモリ（ＲＯＭ）、フラッシュメモリ、ランダムアクセスメモリ（ＲＡＭ）、ハードディスク、光学データ記憶装置、不揮発性記憶装置、非一時的コンピュータ読み取り可能媒体（例えば、有形媒体）等を含む。通信インタフェース装置２２０は、トランシーバを含み、処理回路２００の処理結果に従って、信号（例えば、データ、メッセージ及び／又はパケット）を送受信するために使用される。
【００１３】
以下の実施形態では、実施形態の図示を簡潔にするために、図１の通信装置を表すためにＵＥを使用する。
【００１４】
図３は、本発明の一例によるプロセス３０のフローチャートである。プロセス３０は、ＵＬ送信（例えば、非同期送信）を扱うために、ＵＥ（例えば、図１の通信デバイス）で利用される。プロセス３０は、以下のステップを含む。
【００１５】
ステップ３００：開始する。
【００１６】
ステップ３０２：ＢＳからの第１のＴＴＩにおいて制御チャネル上でセミパーシステントスケジューリング（ＳＰＳ：semi-persistent  scheduling）ＵＬグラント（UL  grant）を受信する。ここで、ＳＰＳ  ＵＬグラントは、複数のＵＬ送信のためにＵＥに周期的に割り当てられるＵＬ周波数リソースを示す。
【００１７】
ステップ３０４：ＳＰＳ  ＵＬグラントを設定ＵＬグラントとして記憶する。
【００１８】
ステップ３０６：第１のＴＴＩの後の最も早いＴＴＩで開始するように設定ＵＬグラントを初期化し、最も早いＴＴＩ後の複数のＴＴＩに設定ＵＬグラントを適用する。
【００１９】
ステップ３０８：設定ＵＬグラントに従って第１のハイブリッド自動再送要求（ＨＡＲＱ）プロセスを使用することによって、第１のＵＬ送信の少なくとも１回の第１の繰返しを送信する。
【００２０】
ステップ３１０：第１のＵＬ送信に応答して第１のＨＡＲＱプロセスのための第１のＵＬ  ＨＡＲＱ  ＲＴＴタイマを開始する。
【００２１】
ステップ３１２：第１のＵＬ  ＨＡＲＱ  ＲＴＴタイマが満了するときに、第１のＨＡＲＱプロセスのための第１のdrx-ULRetransmissionTimer（drx-UL再送信タイマ）を開始する。
【００２２】
ステップ３１４：終了する。
【００２３】
プロセス３０によれば、ＵＥが第１のＨＡＲＱプロセスのための設定ＵＬグラントを有するときは、ＵＥは、第１のＵＬ送信に応答して、第１のＨＡＲＱプロセスのための第１のＵＬ  ＨＡＲＱ  ＲＴＴタイマを開始する。ＳＰＳ  ＵＬグラントは、第１のＨＡＲＱプロセスのＨＡＲＱプロセス識別子を示すＨＡＲＱプロセス番号を含むことができる。ネットワークが第１のＵＬ送信を正常に受信しないときは、ネットワークは、第１のＵＬ  ＨＡＲＱ  ＲＴＴタイマを考慮して、第１のＵＬ送信のＵＬ再送信をスケジュールする。すなわち、ネットワークは、第１のＵＬ  ＨＡＲＱ  ＲＴＴタイマが満了する前に、ＵＬ再送信を示す動的スケジューリングＵＬグラントをＵＥに送信しない。一例では、制御チャネルは、物理ＤＬ制御チャネル（ＰＤＣＣＨ：physical  DL  control  channel）、拡張ＰＤＣＣＨ（ＥＰＤＣＣＨ：enhanced  PDCCH）、マシンタイプ通信（ＭＴＣ：machine-type  communication）ＰＤＣＣＨ（ＭＰＤＣＣＨ）、短縮ＰＤＣＣＨ（ｓＰＤＣＣＨ：short  PDCCH）又は狭帯域ＰＤＣＣＨ（ＮＰＤＣＣＨ：narrowband  PDCCH）である。一例では、制御チャネルは専用制御チャネル（ＤＣＣＨ：dedicated  control  channel）である。ネットワークは、第１のＤＬ制御情報（ＤＣＩ：ＤＬ  control  information）又は無線リソース制御（ＲＲＣ：Radio  Resource  Control）メッセージでＳＰＳ  ＵＬグラントを送信することができる。一例では、ネットワークは、制御チャネル上の第２のＴＴＩの第２のＤＣＩで動的スケジューリングＵＬグラントをＵＥに送信する。
【００２４】
ＵＥは、複数のＴＴＩのうちの１つのＴＴＩにおいて第１のＵＬ送信の繰返しを送信することができる。ＵＥは、そのＴＴＩ（すなわち、第１のＵＬ送信のタイミング）に従って、第１のＨＡＲＱプロセスのための第１のＵＬ  ＨＡＲＱ  ＲＴＴタイマを開始することができる。例えば、ＵＥは、そのＴＴＩにおいて第１のＵＬ  ＨＡＲＱ  ＲＴＴタイマを開始する。一例では、繰返しは最後の繰返しとすることができる。
【００２５】
プロセス３０で述べたように、ＵＥは、第１のＵＬ  ＨＡＲＱ  ＲＴＴタイマが満了するときに、第１のdrx-ULRetransmissionTimerを開始する。それゆえ、第１のdrx-ULRetransmissionTimerがＵＥに対してネットワークによって設定された間欠受信（ＤＲＸ：discontinuous  reception）サイクルのオフ持続時間に属するＴＴＩで動作しているときに、ＵＥは制御チャネル（例えば、ＰＤＣＣＨ、ＥＰＤＣＣＨ、ＭＰＤＣＣＨ又はＮＰＤＣＣＨ）を監視することができる。ＵＥは、ＤＲＸサイクルに従ってＤＲＸ動作を実行する。ネットワークがＤＲＸサイクルのオフ持続時間内にＵＥに制御コマンドを送信する必要がある（又は、意図する）ときは、ネットワークは、第１のdrx-ULRetransmissionTimerが動作しているので、ＴＴＩのうちの１つでＵＥにＵＬグラントを送信することができる。言い換えれば、ネットワークが制御コマンドを送信する必要があるときは、ネットワークは、第１のdrx-ULRetransmissionTimerが（特に、ＵＥのＤＲＸサイクルのオフ持続時間内に）動作しているかどうかも考慮する。すなわち、第１のdrx-ULRetransmissionTimerが動作していないときに、ネットワークは、ＵＥのＤＲＸサイクルのＴＴＩで制御コマンドを送信しなくてよい。
【００２６】
一例では、ネットワークは、ＵＥ内で動作する第１のdrx-ULRetransmissionTimerに対応するタイマを維持する。ネットワークは、タイマが動作しているときは、第１のdrx-ULRetransmissionTimerが動作していると判定する。ネットワークは、タイマが動作していない（例えば、満了している）ときは、第１のdrx-ULRetransmissionTimerが動作していないと判定する。別の例では、第１のＵＬ  ＨＡＲＱ  ＲＴＴタイマの第２の長さに従って開始する第１のdrx-ULRetransmissionTimerの第１の長さ内にＴＴＩがあるときは、ネットワークは第１のdrx-ULRetransmissionTimerが動作していると判定する。ネットワークは、ＴＴＩが第１の長さ外にあるときは、第１のdrx-ULRetransmissionTimerが動作していないと判定する。第２の長さは、ネットワークによって設定されてもよいし、ＵＥによって予め決定されてもよい。
【００２７】
一例では、少なくとも１回の第１の繰返しうちの最初の繰返しは新しい送信であり、最初の繰返し後のその少なくとも１回の第１の繰返しのうちの残りは再送信である。ＵＥは、新しい送信をあるＴＴＩで送信する。ＵＥは、少なくとも１回の第１の繰返しのうちの残りをそのＴＴＩに続くＴＴＩで送信する。一例では、ＵＥが狭帯域モノのインターネット（ＩｏＴ）（ＮＢ−ＩｏＴ）ＵＥである場合、帯域幅低減低複雑度（ＢＬ：bandwidth-reduced  low-complexity）ＵＥ  （ＢＬ  ＵＥ）である場合、又はカバレッジエンハンスメント（ＣＥ：coverage  enhancement）にある場合、少なくとも１回の第１の繰返しは第１の複数の繰返しを含む。第１の複数の繰返しの繰返し回数は、ＳＰＳ  ＵＬグラントで示されることができる。一例では、ＵＥがＮＢ−ＩｏＴ  ＵＥ、ＢＬ  ＵＥ及びＣＥのうちのいずれでもない場合、少なくとも１回の第１の繰返しは、１回の繰返しのみを含む（すなわち、ＵＥは第１のＵＬ送信を１回だけ送信する）。この例では、ＳＰＳ  ＵＬグラントは、繰返し回数を示さなくてもよく、１回だけの繰返しを示すことができる。
【００２８】
一例では、ＵＥは、第１の複数の繰返しのうちの１つに応答して第１のＵＬ  ＨＡＲＱ  ＲＴＴタイマを開始することによって、第１のＵＬ送信に応答して、第１のＵＬ  ＨＡＲＱ  ＲＴＴタイマを開始する。例えば、第１の複数の繰返しのうちの１つは、第１の複数の繰返しのうちの最初の繰返し、２番目の繰返し、．．．又は最後の繰返しとすることができる。
【００２９】
一例では、ネットワークは、制御コマンドを制御チャネル上で送信する。制御コマンドは、動的スケジューリングＵＬグラント、ＳＰＳ  ＵＬグラント、動的スケジューリングＤＬ割り当て、ＳＰＳ  ＤＬ割り当て、ＵＬ電力制御コマンド、チャネル状態情報（ＣＳＩ：Channel  State  Information）要求又はサウンディング参照シンボル（ＳＲＳ：sounding  reference  symbol）要求とすることができる。ＵＥは、動的スケジューリングＵＬグラントが第１のＵＬ送信のＵＬ再送信を示す場合、動的スケジューリングＵＬグラントに従って第１のＨＡＲＱプロセスを使用することによって、再送信の少なくとも１回の第２の繰返しを送信することができる。ＵＥがＮＢ−ＩｏＴ  ＵＥ、ＢＬ  ＵＥ、及びＣＥのうちのいずれでもない場合、少なくとも１回の第２の繰返しは、１回の繰返しのみを含むことができる（すなわち、ＵＥは第２のＵＬ送信を１回だけ送信する）。ＵＥがＮＢ−ＩｏＴ  ＵＥ、ＢＬ  ＵＥ又はＣＥである場合、少なくとも１回の第２の繰返しは第２の複数の繰返しを含むことができる。第２の複数の繰返しの回数は、動的スケジューリングＵＬグラントで示されることができる。
【００３０】
ＵＥが、例えば、最も早いＴＴＩの前に（ｎ＋ｋ）時間単位であるＴＴＩでＳＰＳ  ＵＬグラントを受信するときに、ＵＥはＳＰＳ  ＵＬグラントに従って第３のＵＬ送信を送信することに注意する。「ｋ」は、ネットワークによって設定されるか、又はＵＥによって予め定められる非負の整数であってもよい。一例では、「ｋ」は、ＦＤＤモードの場合は４であり、ＴＤＤ設定に従ってＴＤＤモードの場合は０、１、２、．．．とすることができる。一例では、時間単位はサブフレーム又はタイムスロットである。別の例では、時間単位は、１、２、３又は４ＯＦＤＭシンボルの持続時間である。ＵＥが繰返しを使用するように設定されているかどうかに応じて、第３のＵＬ送信は１回以上の繰返しを含むことができる。
【００３１】
図４は、本発明の一例によるプロセス４０のフローチャートである。プロセス４０は、ＵＬ送信（例えば、非同期送信）を扱うために、ＵＥ（例えば、図１の通信デバイス）で利用される。プロセス４０は、以下のステップを含む。
【００３２】
ステップ４００：開始する。
【００３３】
ステップ４０２：ランダムアクセスプリアンブルをＢＳに送信する。
【００３４】
ステップ４０４：ランダムアクセスプリアンブルに応答して、ＢＳからＵＬグラントを含むランダムアクセス応答（ＲＡＲ：random  access  response）を受信する。ここで、ＵＬグラントは、第２のＵＬ送信のためのＵＬ周波数リソースを示す。
【００３５】
ステップ４０６：ＵＬグラントに従って第２のＨＡＲＱプロセスを使用することによって第２のＵＬ送信の少なくとも１回の第２の繰返しを送信する。
【００３６】
ステップ４０８：第２のＵＬ送信に応答して、第２のＨＡＲＱプロセスのための第２のＵＬ  ＨＡＲＱ  ＲＴＴタイマを開始する。
【００３７】
ステップ４１０：第２のＵＬ  ＨＡＲＱ  ＲＴＴタイマが満了するときに、第２のＨＡＲＱプロセスのための第２のdrx-ULRetransmissionTimerを開始する。
【００３８】
ステップ４１２：終了する。
【００３９】
プロセス４０によれば、ＵＥは、ＲＡＲによって設定された第２のＵＬ送信に応答して、第２のＨＡＲＱプロセスのための第２のＵＬ  ＨＡＲＱ  ＲＴＴタイマを開始する。一例では、ＵＥは、物理ＤＬ共有チャネル（ＰＤＳＣＨ：physical  DL  shared  channel）、狭帯域ＰＤＳＣＨ（ＮＰＤＳＣＨ：narrowband  PDSCH）又は短縮ＰＤＳＣＨ（ｓＰＤＳＣＨ：short  PDSCH）でＲＡＲを受信する。すなわち、ＵＥが第２のＵＬ送信を送信することを示すＴＴＩにおいてＰＤＣＣＨを受信しなくても、ＵＥは第２のＵＬ  ＨＡＲＱ  ＲＴＴタイマを開始する。ネットワークが第２のＵＬ送信を正常に受信しないときは、ネットワークは、第２のＵＬ  ＨＡＲＱ  ＲＴＴタイマを考慮して、第２のＵＬ送信のＵＬ再送信をスケジュールする。すなわち、ネットワークは、第２のＵＬ  ＨＡＲＱ  ＲＴＴタイマが満了する前に、ＵＬ再送信を示す動的スケジューリングＵＬをグラントＵＥに送信しない。ＲＡＲは、タイミング調整値を含むことができる。ＲＡＲは、第２のＨＡＲＱプロセスのＨＡＲＱプロセス識別子を示すＨＡＲＱプロセス番号を含むことができる。ＵＥは、ＨＡＲＱプロセス番号に従って第２のＨＡＲＱプロセスを認識することができる。ＲＡＲがＨＡＲＱプロセス番号を含まない場合、第２のＨＡＲＱプロセスは、ＲＡＲによって示されるＵＬ送信のためにＵＥで予め決定されることができる。例えば、ＵＥは、第２のＨＡＲＱプロセスを、ＨＡＲＱプロセス識別子０によってアドレス指定されるＨＡＲＱプロセスに常に設定する。ネットワークは、所定のＨＡＲＱプロセス識別子に対応するソフトバッファを使用して、ＵＬ送信及びＵＬ再送信（例えば、動的スケジューリングＵＬグラントによって要求された場合）を受信する。
【００４０】
ＵＥは、第２のＵＬ送信の繰返しをあるＴＴＩで送信することができる。ＵＥは、ＴＴＩ（すなわち、第２のＵＬ送信のタイミング）に従って、第２のＨＡＲＱプロセスのための第２のＵＬ  ＨＡＲＱ  ＲＴＴタイマを開始することができる。例えば、ＵＥは、そのＴＴＩで第２のＵＬ  ＨＡＲＱ  ＲＴＴタイマを開始する。一例では、繰返しは最後の繰返しとすることができる。
【００４１】
プロセス４０で述べたように、ＵＥは、第２のＵＬ  ＨＡＲＱ  ＲＴＴタイマが満了するときに、第２のＨＡＲＱプロセスのために第２のdrx-ULRetransmissionTimerを開始する。それゆえ、第２のdrx-ULRetransmissionTimerがＵＥに対してネットワークによって設定されたＤＲＸサイクルのオフ持続時間に属するＴＴＩで動作しているときに、ＵＥは制御チャネル（例えば、ＰＤＣＣＨ、ＥＰＤＣＣＨ、ＭＰＤＣＣＨ、又はＮＰＤＣＣＨ）を監視することができる。ＵＥは、ＤＲＸサイクルに従ってＤＲＸ動作を実行する。ネットワークがＤＲＸサイクルのオフ持続時間内にＵＥに制御コマンドを送信する必要があるとき、ネットワークは、第２のdrx-ULRetransmissionTimerが動作しているので、ＴＴＩのうちの１つでＵＬグラントをＵＥに送信することができる。言い換えれば、ネットワークが制御コマンドを送信する必要がある（又は、意図する）ときは、第２のdrx-ULRetransmissionTimerが（特に、ＵＥのＤＲＸサイクルのオフ持続時間内に）動作しているかどうかも考慮する。すなわち、第２のdrx-ULRetransmissionTimerが動作していないときは、ネットワークは、ＵＥのＤＲＸサイクルのオフ持続時間に制御コマンドを送信しなくてよい。一例では、ＵＥが再送信を示す制御コマンドを受信すると、ＵＥは第２のＵＬ送信の再送信を送信する。すなわち、制御コマンドは動的スケジューリングＵＬグラントを含む。制御コマンドは、ＨＡＲＱプロセス識別子を示すＨＡＲＱプロセス番号（例えば、０）を含むことができる。
【００４２】
一例では、ネットワークは、ＵＥ内で動作している第２のdrx-ULRetransmissionTimerに対応するタイマを維持する。ネットワークは、タイマが動作しているときは、第２のdrx-ULRetransmissionTimerが動作していると判定する。ネットワークは、タイマが動作していない（例えば、満了した）ときは、第２のdrx-ULRetransmissionTimerが動作していないと判定する。別の例では、第２のＵＬ  ＨＡＲＱ  ＲＴＴタイマの第２の長さに従って開始する第２のdrx-ULRetransmissionTimerの第１の長さ内にＴＴＩがあるときは、ネットワークは第２のdrx-ULRetransmissionTimerが動作していると判定する。第２の長さは、ネットワークによって設定されてもよいし、ＵＥによって予め決定されてもよい。
【００４３】
一例では、少なくとも１回の第２の繰返しの最初の繰返しは新しい送信であり、最初の繰返し後の少なくとも１回の第２の繰返しの残りは再送信である。ＵＥは、新しい送信をあるＴＴＩで送信する。ＵＥは、少なくとも１回の第２の繰返しの残りをそのＴＴＩに続くＴＴＩで送信する。一例では、ＵＥがＮＢ−ＩｏＴ  ＵＥである場合、ＢＬ  ＵＥである場合、又はＣＥにある場合、少なくとも１回の第２の繰返しは、第２の複数の繰返しを含む。第２の複数の繰返しの繰返し回数は、ＲＡＲに示されることができる。一例では、ＵＥがＮＢ−ＩｏＴ  ＵＥ、ＢＬ  ＵＥ及びＣＥのうちのいずれでもない場合、少なくとも１回の第２の繰返しは、１回の繰返しのみを含む（すなわち、ＵＥは第２のＵＬ送信を１回だけ送信する）。この例では、ＲＡＲは繰返し回数を示さなくてもよく、１回だけの繰返しを示すことができる。
【００４４】
一例では、ＵＥは、第２の複数の繰返しのうちの１つに応答して第２のＵＬ  ＨＡＲＱ  ＲＴＴタイマを開始することによって、第２のＵＬ送信に応答して第２のＵＬ  ＨＡＲＱ  ＲＴＴタイマを開始する。例えば、第２の複数の繰返しのうちの１つは、第２の複数の繰返しのうちの最初の繰返し、２番目の繰返し、．．．又は最後の繰返しとすることができる。
【００４５】
ネットワークは、プロセス３０で説明した制御チャネル上で制御コマンドを送信することができ、ここでは述べない。
【００４６】
図５は、本発明の一例によるプロセス５０のフローチャートである。プロセス５０は、ＵＬ送信（例えば、非同期送信）を扱うために、図１のネットワーク内のＢＳで利用される。プロセス５０は、以下のステップを含む。
【００４７】
ステップ５００：開始する。
【００４８】
ステップ５０２：ＤＲＸ動作をＵＥに設定する。
【００４９】
ステップ５０４：制御チャネル上でＳＰＳ  ＵＬグラントをＵＥに送信する。ここで、ＳＰＳ  ＵＬグラントは、複数のＵＬ送信のためにＵＥに周期的に割り当てられるＵＬ周波数リソースを示す。
【００５０】
ステップ５０６：ＵＬ送信の少なくとも１回の繰返しをＵＥから受信する。ここで、少なくとも１回の繰返しは、ＳＰＳ  ＵＬグラントに従ってＨＡＲＱプロセスを使用してＵＥによって送信され、ＵＬ  ＨＡＲＱ  ＲＴＴタイマがＵＬ送信に応答してＨＡＲＱプロセスのためにＵＥによって開始される。
【００５１】
ステップ５０８：ＵＬ  ＨＡＲＱ  ＲＴＴタイマが満了し、ＵＬ送信が正常に受信されないときは、動的スケジューリングＵＬグラントをＵＥに送信する。動的スケジューリングＵＬグラントは、ＵＥにＵＬ送信を再送信させることを示す。
【００５２】
ステップ５１０：終了する。
【００５３】
プロセス５０によれば、ＢＳは、ＤＲＸ設定を含む第１のＲＲＣメッセージ（例えば、RRCConnectionReconfigurationメッセージ）をＵＥに送信することによって、ＤＲＸ動作をＵＥに設定する。ＤＲＸ設定は、上述のようにdrx-ULRetransmissionTimerのための時間値を設定することができる。ＢＳは、制御チャネル上でＳＰＳ  ＵＬグラントをＵＥに送信する。ＳＰＳ  ＵＬグラントは、複数のＵＬ送信のためにＵＥに周期的に割り当てられるＵＬ周波数リソースを示す。ＢＳは、第１のＲＲＣメッセージ又は第２のＲＲＣメッセージ内のＳＰＳ期間（又は、ＳＰＳスケジュール間隔と呼ばれる、例えば、semiPersistSchedIntervalUL）をＵＥに送信することができる。プロセス５０は、プロセス３０を実行するＵＥと通信するためのネットワークによって実行されてもよい。プロセス３０の例はプロセス５０に適用されることができ、ここでは繰り返さない。
【００５４】
一例では、ネットワークは、ＵＥ内で動作するＵＬ  ＨＡＲＱタイマに対応するタイマを維持する。ネットワークは、タイマが満了するときは、ＵＬ  ＨＡＲＱタイマが満了したと判定する。別の例では、ネットワークは、ＴＴＩがＵＬ送信の最初又は最後の繰返しから開始するＵＬ  ＨＡＲＱ  ＲＴＴタイマの長さの外にあるときは、ＵＬ  ＨＡＲＱタイマが満了したと判定する。
【００５５】
図６は、本発明の一例によるプロセス６０のフローチャートである。プロセス６０は、ＵＬ送信（例えば、非同期送信）を扱うために、図１のネットワーク内のＢＳで利用される。プロセス６０は、以下のステップを含む。
【００５６】
ステップ６００：開始する。
【００５７】
ステップ６０２：ＤＲＸ動作をＵＥに設定する。
【００５８】
ステップ６０４：ランダムアクセスプリアンブルをＵＥから受信する。
【００５９】
ステップ６０６：ランダムアクセスプリアンブルに応答してＵＬグラントを含むＲＡＲをＵＥに送信する。ここで、ＵＬグラントはＵＬ送信のためのＵＬ周波数リソースを示す。
【００６０】
ステップ６０８：ＵＬ送信の少なくとも１回の繰返しをＵＥから受信する。ここで、少なくとも１回の繰返しは、ＵＬグラントに従ってＨＡＲＱプロセスを使用してＵＥによって送信され、ＨＡＲＱプロセスのためのＵＬ  ＨＡＲＱ  ＲＴＴタイマは、ＵＬ送信に応答してＵＥによって開始される。
【００６１】
ステップ６１０：ＵＬ  ＨＡＲＱ  ＲＴＴタイマが満了し、ＵＬ送信が正常に受信されないときは、動的スケジューリングＵＬグラントをＵＥに送信する。ここで、動的スケジューリングＵＬグラントは、ＵＥにＵＬ送信を再送信するように命令する。
【００６２】
ステップ６１２：終了する。
【００６３】
プロセス６０は、プロセス４０を実行するＵＥと通信するためのネットワークによって実行されることができる。プロセス４０の例はプロセス６０に適用されることができ、ここでは繰り返さない。
【００６４】
要約すると、上記のプロセスは、ＵＥがオフ持続時間にＴＴＩでＢＳによって送信された制御コマンドをミスするという問題を解決する。
【００６５】
当業者であれば、上述の説明及び例の組み合わせ、修正及び／又は変更を容易になすことができるはずである。上記の説明、ステップ及び／又は提案したステップを含むプロセスは、ハードウェア、ソフトウェア、ファームウェア（ハードウェア装置とコンピュータ命令との組み合わせで、ハードウェア装置上に読み取り専用ソフトウェアとして存在するデータとして知られる）、電子システム又はそれらの組み合わせとし得る手段によって実現されることができる。手段の例は、通信装置２０とすることができる。上記のプロセス及び例のいずれも、プログラムコード２１４にコンパイルされることができる。
【００６６】
要約すると、本発明は、ＵＬ送信を扱うための装置及び方法を提供する。ＵＥは、ＳＰＳ  ＵＬグラント又は動的スケジューリングＵＬグラントがＵＥに設定された後、対応するタイマに従ってＨＡＲＱプロセス及びＨＡＲＱプロセスのＵＬ伝送を適切に扱うことができる。
【００６７】
当業者であれば、本装置及び本方法の多様な修正及び変更が発明の教示を保持しながらなされ得ることに容易に気づくだろう。したがって、上記の開示は、添付の特許請求の範囲の境界によってのみ制限されるものとして解釈されるべきである。
【図１】
2018007252.tif 000003
【図２】
2018007252.tif 000004
【図３】
2018007252.tif 000005
【図４】
2018007252.tif 000006
【図５】
2018007252.tif 000007
【図６】
2018007252.tif 000008
【外国語明細書】
2018007252000001.pdf